(57)【要約】【課題】輝度均一性に優れ、かつ、回路基板を導光板に固定する際の作業性に優れた面状照明装置を提供する。【解決手段】本発明に係る面状照明装置において、導光板２１は、ＬＥＤ１１が対向して配置される入光面２２と、入光面２２から入光したＬＥＤ１１からの光を面状に出射する出射部２８と、入光面２２と出射部２８との間に出射部２８側に向かうほど厚さが漸減する傾斜部２７とを有しており、傾斜部２７の傾斜面２７ａには、ＬＥＤ１１の前方部分を除く領域に、ＦＰＣ３１を配置するための台座２９が設けられている。そして、隣接する台座２９の間に遮光部材４５が配置されていることによって、傾斜面２７ａからの漏れ光４５が出射部２８側へ漏れることを阻止し、照明光の輝度の均一性を向上させる。【選択図】図３
2014032860.tif 000002
【特許請求の範囲】
【請求項１】
複数の点状光源と、前記点状光源の各々が実装されるプリント回路基板と、前記点状光源が対向して配置される入光面、および前記入光面から入光した前記点状光源からの光を面状に出射する出射部を有する導光板と、を備え、前記導光板には、前記入光面と前記出射部との間に前記出射部側に向かうほど厚さが漸減する傾斜部が設けられ、前記傾斜部の傾斜面には、前記点状光源の前方部分を除く領域に、前記プリント回路基板を配置するための台座が設けられており、隣接する前記台座の間に遮光部材が配置されていることを特徴とする面状照明装置。
【請求項２】
前記プリント回路基板は、接着部材により前記導光板に固定され、前記接着部材は、前記台座に対応して配置される部分を含む枝部、および前記枝部の各々の前方端を隣接する前記枝部の前方端と連結する連結部を有し、前記連結部に前記遮光部材が固定されていることを特徴とする請求項１に記載の面状照明装置。
【請求項３】
前記接着部材は、両面テープであることを特徴とする請求項２に記載の面状照明装置。
【請求項４】
前記接着部材は、前記枝部の各々の後方端を連結する幹線部を有することを特徴とする請求項２または３に記載の面状照明装置。
【請求項５】
前記遮光部材は、前方ほど幅が広い台形形状であることを特徴とする請求項１から４のいずれか１項に記載の面状照明装置。
【請求項６】
前記台座の上面に、前記傾斜部の傾斜面と実質的に平行な傾斜面が含まれることを特徴とする請求項１から５のいずれか１項に記載の面状照明装置。
【発明の詳細な説明】
【技術分野】
【０００１】
本発明は、入光端面に光源を配置して出射部から面状の照明光を出射する導光板を備えたサイドライト方式の面状照明装置に関する。
【背景技術】
【０００２】
液晶表示パネルの照明手段として、小型で環境適合性に優れたＬＥＤを導光板の側端面に沿って配置してなるサイドライト方式の面状照明装置（バックライト）が、携帯電話等の小型携帯情報機器の分野を中心に広く採用されている。昨今では、小型携帯情報機器の更なる薄型化に対応するため、ＬＥＤが配置された側端面（以下、入光面ともいう）から離れるほど厚さが漸減する傾斜部が入光面と出射部との間に形成された導光板が使用されている。このような導光板を使用することにより、ＬＥＤの厚さによらず導光板の出射部を薄くすることができる。
【０００３】
この種の面状照明装置において、ＬＥＤは、通常、短冊状の回路基板に実装された状態で導光板の入光面に対向配置され、その際、回路基板の前方の部分を、導光板の（傾斜部の傾斜面を含む）入光面寄りの部分に密着固定することにより、導光板に対して位置決め固定される。
【０００４】
従来、このような面状照明装置では、ＬＥＤから出射されて導光板に入光した光が傾斜面で反射される際に、傾斜面に密着固定された回路基板に吸収されること、及び、回路基板を導光板の傾斜面に密着固定させた状態では、ＬＥＤの発光面を導光板の入光面に平行に対面させることができないため、ＬＥＤの発光面から発光した光の一部が導光板の入光面に入射せずに外部に漏れ出すことよって、照明光の輝度が低下するという問題が生じていた。
【０００５】
そこで、本出願人は、以上のような問題を解決して照明光の輝度を向上させるため、先に、次のような面状照明装置を提案した（特許文献１参照）。図６は、特許文献１に一例として示す面状照明装置１００の要部を分解して示す平面図、図７は、面状照明装置１００の組立状態におけるＡ−Ａ断面図である。また、図８は、面状照明装置１００で使用されるフレキシブルプリント回路基板（以下、ＦＰＣともいう）１３１の一例を、ＬＥＤ１１１等の部品が実装される実装面１３１ａ側から見た平面図である。
【０００６】
面状照明装置１００において、導光板１２１は、入光面１２２から前方に形成された入光部１２６と、入光部１２６に連続して形成され、前方に向かうにしたがって厚みが漸減する傾斜部１２７と、傾斜部１２７の前方に形成され、傾斜部１２７を導光したＬＥＤ１１１からの光を出射面１２５から出射させる出射部１２８とからなる。そして、導光板１２１の入光面１２２寄りに形成された傾斜部１２７には、ＬＥＤ１１１の前方部分を除く領域に複数の台座１２９が形成されており、各台座１２９の上面１２９ａは、導光板１２１の入光面１２２と略直交している。ＦＰＣ１３１は、両面テープ１４０によりその実装面１３１ａの一部を台座１２９の上面１２９ａに接着させることによって、導光板１２１に対して固定配置される。
【０００７】
尚、面状照明装置１００では、導光板１２１は、入光面１２２から後方に突き出るように互いに離間させて形成された複数のツメ部１３０を有している。ツメ部１３０は、その上面１３０ａが、入光部１２６の上面１２６ａ及び台座１２９の上面１２９ａと略面一となるように形成されており、ＦＰＣ１３１の実装面１３１ａの一部は、両面テープ１４０によりツメ部１３０の上面１３０ａにも接着されている。
【０００８】
面状照明装置１００では、この構成により、ＦＰＣ１３１を導光板１２１に対して固定配置した状態において、ＬＥＤ１１１の発光面１１２が導光板１２１の入光面１２２に略平行に対面するため、ＬＥＤ１１１の発光面１１２から出射した光を、漏れ光を発生させることなく、導光板１２１内に効率的に入光させることができる。このように、面状照明装置１００は、上記の問題を解決して、照明光の高輝度化を達成するものである。
さらに、面状照明装置１００では、ＦＰＣ１３１を導光板１２１に対して固定配置した状態において、ＬＥＤ１１１の前方部分の傾斜面１２７ａとＦＰＣ１３１の実装面１３１ａとの間に隙間が形成されるため、導光板１２１内に入光して傾斜面１２７ａで反射する光がＦＰＣ１３１によって吸収されることが抑制され、照明光の高輝度化を達成するという効果も奏する。
【先行技術文献】
【特許文献】
【０００９】
【特許文献１】特開２０１１−９６５２３号公報
【発明の概要】
【発明が解決しようとする課題】
【００１０】
このように、図６及び図７に示す面状照明装置１００は、照明光の高輝度化に関して上述したような作用効果を奏するものの、その照明輝度の均一性の観点から、次のように改善の余地がある。すなわち、面状照明装置１００では、ＬＥＤ１１１の前方部分の傾斜面１２７ａとＦＰＣ１３１の傾斜面１２７ａと対向する側の面１３１ａとの間に隙間が形成されているため、傾斜面１２７ａからの漏れ光が存在する場合には、図７に光路Ｃとして模式的に示すように、漏れ光の少なくとも一部がこの隙間内を伝播して出射面１２５側に漏れることになり、これによって、照明輝度の均一性が損なわれるおそれがある。
【００１１】
また、面状照明装置１００において、ＦＰＣ１３１の実装面１３１ａを台座１２９及びツメ部１３０に接着するための両面テープ１４０（図８参照）は、通常、ＦＰＣ１３１のＬＥＤ１１１の後方に位置し、ＦＰＣ１３１の長手方向に延びる幹線部１４０ｂと、幹線部１４０ｂから前方に延びる複数の枝部１４０ａとを有する形状に整形され、各枝部１４０ａの前端部分が、それぞれ対応する台座１２９及びツメ部１３０に接着される。
【００１２】
ここで、両面テープ１４０に、隣接する枝部１４０ａの前端部分を連結する部分（以下、単に連結部ともいう）を設けず、両面テープ１４０を、ＬＥＤ１１１の前方に両面テープ１４０を配置しない形状としていることには、次のような理由がある。
【００１３】
すなわち、両面テープ１４０に連結部を設けた場合、ＦＰＣ１３１を導光板１２１に対して固定配置した際に、両面テープ１４０の撓み等によって、連結部に、傾斜部１２７の傾斜面１２７ａに接触して、そのまま傾斜面１２７ａ上に固定される部分が生じる場合がある。そして、連結部はＬＥＤ１１１の前方に位置するため、このような接触が発生すると、傾斜面１２７ａのＬＥＤ１１１の前方部分のうち、両面テープ１４０の連結部が接触している部分と接触していない部分との間に屈折率等の光学特性の差異が生じ、これによって、傾斜部１２７を導光する光の分布、ひいては出射面１２５から出射する照明光の輝度分布（見栄え）が変化することになる。そして、このような接触の要因となる両面テープ１４０の撓みを制御することは困難であるため、照明光の輝度分布に、製品ごとのばらつきが生じることになる。
【００１４】
したがって、このような両面テープ１４０の傾斜面１２７ａへの接触に伴う問題を生じさせないためには、図８に示すように、ＬＥＤ１１１の前方に両面テープ１４０を配置しないことが望ましく、この場合、両面テープ１４０に隣接する枝部１４０ａの前方部分を連結する部分を設けることはできない。
【００１５】
しかしながら、両面テープ１４０のこの形状には、ＦＰＣ１３１と導光板１２１との固着作業の作業性の観点から、次のような問題がある。
通常、両面テープ１４０は、未使用時に、表裏両面の接着層を保護する保護部材（以下、剥離ライナーともいう）を有しており、両面テープを介してＦＰＣ１３１と導光板１２１とを固着する際には、それらの剥離ライナーを剥がす作業が必要となる。しかるに、図８に示すような両面テープ１４０の形状では、剥離ライナーを剥がす際に、枝部１４０ａの前方部分が剥離ライナーに連れ立って剥がれ易く、このような剥がれが生じた場合、その修復作業が必要となる等、固着作業が煩雑になるという問題がある。
【００１６】
このような剥がれがより重大な問題となるのは、ＦＰＣ１３１のＬＥＤ１１１の後方に幹線部１４０ｂを設けるスペースを確保できず、図９に示す両面テープ１５０のように、各枝部１５０ａを互いに完全に孤立した状態（飛島形状）に形成する必要がある場合である。ここで、図９は、剥離ライナーが付着された状態の両面テープ１５０を示す平面図であり、各枝部１５０ａ（ハッチング部）は、両面テープ１５０本体とそれを覆う剥離ライナーから構成され、ハッチングのないＬ字状部分１５１、１５２は、剥離ライナーのみから構成されている。通常、Ｌ字状の部分の１５１、１５２のうち、最も外側（図９では、右側）の枝部１５０ａから外側方向に延長された部分１５１は、剥離ライナーを剥がす際のタブとして使用され、各枝部１５０ａの後方に延在する部分１５２は、剥離ライナーを剥がす前に各枝部１５０ａを連結する仮の幹線部として機能している。
このように枝部１５０ａが飛島形状に形成されている場合、剥がされる剥離ライナーに連れ立って、１つまたは複数の枝部１５０ａが完全に剥がれてしまう場合があるため、ＦＰＣ１３１と導光板１２１との固着作業の作業性がさらに悪化する。
【００１７】
本発明は、上記課題に鑑みてなされたものであり、輝度均一性に優れ、かつ、回路基板を導光板に固定する際の作業性に優れた面状照明装置を提供することを目的とする。
【課題を解決するための手段】
【００１８】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【００１９】
（１）複数の点状光源と、前記点状光源の各々が実装されるプリント回路基板と、前記点状光源が対向して配置される入光面、および前記入光面から入光した前記点状光源からの光を面状に出射する出射部を有する導光板と、を備え、前記導光板には、前記入光面と前記出射部との間に前記出射部側に向かうほど厚さが漸減する傾斜部が設けられ、前記傾斜部の傾斜面には、前記点状光源の前方部分を除く領域に、前記プリント回路基板を配置するための台座が設けられており、隣接する前記台座の間に遮光部材が配置されていることを特徴とする面状照明装置（請求項１）。
【００２０】
本項に記載の面状照明装置によれば、隣接する台座の間に遮光部材が配置されていることによって、導光板の傾斜部の傾斜面から漏れ光が発生したとしても、その漏れ光の出射部側への進行を上記遮光部材によって阻止し、面状照明装置の照明光の輝度の均一性を向上させることが可能となる。
【００２１】
（２）（１）項に記載の面状照明装置において、前記プリント回路基板は、接着部材により前記導光板に固定され、前記接着部材は、前記台座に対応して配置される部分を含む枝部、および前記枝部の各々の前方端を隣接する前記枝部の前方端と連結する連結部を有し、前記連結部に前記遮光部材が固定されていることを特徴とする面状照明装置（請求項２）。
【００２２】
本項に記載の面状照明装置によれば、接着部材が、枝部の各々の前方端を隣接する枝部の前方端と連結する連結部を有していることにより、プリント回路基板を導光板に固定する際に、接着部材の枝部を安定して保持することが可能となるとともに、接着部材の連結部に遮光部材が固定されていることにより、接着部材にこのような連結部を設けた場合でも、連結部が導光板の傾斜部の傾斜面と接触することを抑制または阻止することが可能となる。
【００２３】
これによって、プリント回路基板を導光板に固定する作業の作業性を向上させつつ、傾斜面の点状光源の前方部分に、接着部材の連結部との接触の有無に応じた屈折率等の光学特性の差異が生じること、および、その結果として、傾斜部を導光する光の分布、ひいては出射部から出射する照明光の輝度分布（見栄え）が変化することを抑制または解消することが可能となる。
【００２４】
（３）（２）項に記載の面状照明装置において、前記接着部材は、両面テープであることを特徴とする面状照明装置（請求項３）。
【００２５】
本項に記載の面状照明装置によれば、両面テープからなる接着部材が、枝部の各々の前方端を隣接する枝部の前方端と連結する連結部を有しているため、プリント回路基板を導光板に固定する作業において、両面テープの剥離ライナーを剥がす際に、それに連れ立って各枝部の一部または全部が剥がれることが抑制され、プリント回路基板を導光板に固定する作業の作業性を向上させることが可能となる。
【００２６】
（４）（２）または（３）項に記載の面状照明装置において、前記接着部材は、前記枝部の各々の後方端を連結する幹線部を有することを特徴とする面状照明装置（請求項４）。
【００２７】
本項に記載の面状照明装置によれば、プリント回路基板を導光板に固定する際に、接着部材の枝部をさらに安定して保持することが可能となる。
【００２８】
（５）（１）から（４）のいずれか１項に記載の面状照明装置において、前記遮光部材は、前方ほど幅が広い台形形状であることを特徴とする面状照明装置（請求項５）。
【００２９】
本項に記載の面状照明装置によれば、プリント回路基板を配置するための台座を、その上面視形状が前方にほど幅が狭くなるように形成した場合に、隣接する台座間の隙間を効果的に埋めることにより、遮光部材の遮光性を高めることが可能となる。
【００３０】
（６）（１）から（５）のいずれか１項に記載の面状照明装置において、前記台座の上面に、前記傾斜部の傾斜面と実質的に平行な傾斜面が含まれることを特徴とする面状照明装置（請求項６）。
【００３１】
本項に記載の面状照明装置によれば、台座に配置されるプリント回路基板と導光板の傾斜部の傾斜面との間の隙間に、その間隔が一定となる部分が存在するため、対応する一定の厚みを有する遮光部材を用いて、傾斜面からの漏れ光を効果的に遮光することが可能となる。
【発明の効果】
【００３２】
本発明によれば、以上のような構成により、導光板に、入光面と出射部との間に出射部側に向かうほど厚さが漸減する傾斜部が設けられ、傾斜部の傾斜面には、点状光源の前方部分を除く領域に、プリント回路基板を配置するための台座が設けられた面状照明装置において、照明光の輝度の均一性、並びに、プリント回路基板を導光板に固定する際の作業性を向上させることが可能となる。
【図面の簡単な説明】
【００３３】
【図１】本発明の一実施形態における面状照明装置の要部を分解して示す平面図である。
【図２】図１に示す面状照明装置で使用されるＦＰＣを実装面側から見た平面図であり、（ａ）はＦＰＣ上に両面テープを配置した状態、（ｂ）は、（ａ）に示す両面テープ上にさらに遮光部材を配置した状態を示す図である。
【図３】（ａ）は、図１に示す面状照明装置の組立状態におけるＡ−Ａ断面図、（ｂ）は、図１に示す面状照明装置の組立状態におけるＢ―Ｂ断面図である。
【図４】本発明の一実施形態における面状照明装置の別の例を示す断面図である。
【図５】本発明の一実施形態における面状照明装置で使用される両面テープの一例を、剥離ライナーが付着された状態で示す平面図である。
【図６】従来の面状照明装置の一例の要部を分解して示す平面図である。
【図７】図６に示す面状照明装置の組立状態におけるＡ−Ａ断面図である。
【図８】図６に示す面状照明装置で使用されるＦＰＣを実装面側から見た平面図である。
【図９】従来の面状照明装置で使用される両面テープの一例を、剥離ライナーが付着された状態で示す平面図である。
【発明を実施するための形態】
【００３４】
以下、本発明の実施形態に係る面状照明装置１０を図面を参照して説明する。なお、以下に示す各図において、各構成要素の形状、寸法等は、本発明の理解を容易にするため適宜誇張して示されている。
【００３５】
面状照明装置１０は、点状光源としてのＬＥＤ１１と、ＬＥＤ１１が発光した光を面状に出射させるための導光板２１と、ＬＥＤ１１が実装されるプリント回路基板としてのＦＰＣ（Flexible Printed Circuit Board；フレキシブルプリント回路基板）３１とを備えている。
【００３６】
ＬＥＤ１１は、本実施形態では、青色ＬＥＤと黄色蛍光体とからなる擬似白色ＬＥＤであり、全体として直方体状に形成され一側面に発光面１２を有する所謂サイドビュー型のＬＥＤである。面状照明装置１０では、複数（図示の例では、３つ）のＬＥＤ１１が、その発光面１２を導光板２１の後述する入光面２２に向けた状態で、互いに所定の間隔を置きながら入光面２２に沿って配置されている。
【００３７】
導光板２１は、透明材料（例えば、ポリカーボネート樹脂）を用いて上面視矩形状に形成されている。導光板２１は、その外表面に、ＬＥＤ１１を配置する側の端面である入光面２２と、入光面２２と略直交する一方の主平面である反射面２４と、反射面２４に平行に対向する他方の主平面である出射面２５と、を有している。
【００３８】
なお、本発明において、入光面２２が対向端面（図示は省略する）を向く方向（したがって、ＬＥＤ１１の発光面１２が向く方向であり、導光方向でもある）を「前方」、反射面２４が出射面２５を向く方向を「上方」と定義し、前後方向及び上下方向と直交する方向（入光面２２の長手方向）を（必要な場合、前方に向かって「右方」及び「左方」を定義して）左右方向ともいう。また、特に明示して断らない限り、「長さ」、「厚さ（厚み）」、及び「幅」は、それぞれ前後方向、上下方向、及び左右方向の寸法をいう。
【００３９】
ここで、導光板２１は、入光面２２から前方に形成されたフラット部２６と、フラット部２６に連続して形成され前方に向かうにしたがって厚みが漸減する傾斜部２７と、傾斜部２７の前方に形成され、傾斜部２７を通って導光されたＬＥＤ１１からの光を出射面２５から出射させる出射部２８とを有する。
【００４０】
フラット部２６は、厚さが前方方向に向かって一定で、出射面２５側の面である上面２６ａが入光面２２と略直交するように形成されている。傾斜部２７は、前方ほど反射面２４側に近づくように一定の勾配で傾斜する傾斜面２７ａを、入光面２２の長手方向に沿って出射面２５側に設けることにより構成されている。
【００４１】
出射部２８は、厚さが一定の矩形平板状に形成され、その反射面２４側に、例えば複数のドットからなる光路変更パターンが形成されている。光路変更パターンを形成することにより、出射部２８を導光する光の進行方向を変更させて、出射面２５から光を面状に出射させることができる。
【００４２】
なお、図示は省略するが、典型的には、導光板２１の反射面２４側には、反射面２４から漏れた光を再度導光板２１に戻すために反射シートが配置され、出射部２８の出射面２５側には、出射面２５から出射する光の指向性を制御するための拡散シート及び１対のプリズムシートが順次積層して配置されている。また、面状照明装置１０は、これらの各構成部材を収納するフレームを備えるものであってもよい。
【００４３】
面状照明装置１０において、導光板２１は、さらに、傾斜部２７の傾斜面２７ａ側に互いに離間させて形成された複数の台座２９（本実施形態では、４つ）を有している。
【００４４】
４つの台座２９は、ＦＰＣ３１を配置するためのものであり、傾斜面２７ａおよび出射面２５の傾斜面２７ａ近傍部分において、３つのＬＥＤ１１の前方部分には存在しないように、互いに離間させて形成される。各台座２９の上面は、ＦＰＣ３１が搭載される受け面として機能し、入光面２２側に形成される第１の面２９ａと、第１の面２９ａの前方に形成され、第１の面２９ａ側から前方に向かって傾斜部２７側に傾斜する第２の面２９ｂとを含んでいる。また、台座２９は、その上面視形状が、前方ほど幅が狭くなるように形成されており、したがって、隣接する台座２９間に存在する傾斜面２７ａは、前方ほど幅が広くなる形状を有している。
【００４５】
ここで、各台座２９は、入光面２２から第２の面２９ｂとの境界に至るまで、厚さが前方方向に向かって一定であり、その間の各台座２９の上面を構成する第１の面２９ａは、入光面２２と略直交するように形成されている。また、第１の面２９ａは、フラット部２６の上面２６ａと略面一に形成されており、言い換えれば、各台座２０の第１の面２９ａは、フラット部２６を、ＬＥＤ１１の前方部分を除いて前方に延長した形となっている。
また、面状照明装置１０では、各台座２９の第２の面２９ｂは、傾斜部２７の傾斜面２７ａと（例えば、樹脂成形における通常の製造誤差の範囲内で）実質的に平行な傾斜面として形成されている。
【００４６】
次に、ＦＰＣ３１は、上面視短冊状に形成され、その幅（長辺３１ｂ、３１ｃの寸法）が導光板２１の入光面２２の長手方向の寸法と略同一である。３つのＬＥＤ１１は、ＦＰＣ３１の実装面３１ａに、その発光面１２が実装面３１ａに対して略直交し、かつ、長辺３１ｂ、３１ｃに対して略平行となる状態で、ＦＰＣ３１の後方側の長辺３１ｃに沿って実装されている。
【００４７】
また、ＦＰＣ３１は、ＬＥＤ１１が実装された部分よりも前方部分の少なくとも一部が、導光板２１（詳しくは、フラット部２６の上面２６ａ並びに台座２９の第１及び第２の面２９ａ、２９ｂ）上に配置されるものであるため、ＦＰＣ３１の短辺の寸法は、ＬＥＤ１１が実装された部分よりも前方に、配置のために必要な部分が存在するだけの長さを有している。
【００４８】
そして、面状照明装置１０において、ＬＥＤ１１が実装されたＦＰＣ３１は、その実装面３１ａを導光板２１側に向け、第１の面２９ａと第２の面２９ｂとの境界に対応する折り曲げ位置ｆで、第１の面２９ａに対する第２の面２９ｂの傾斜に倣って折り曲げられるとともに、ＬＥＤ１１の発光面１２が導光板２１の入光面２２の所定位置に対向するように位置合わせしながら、導光板２１に配置される。
【００４９】
この際、台座２９の第１及び第２の面２９ａ、２９ｂ、及びフラット部２６の上面２６ａ）が、ＦＰＣ３１の実装面３１ａの受け面となり、これらの受け面のうち、台座２９の第１及び第２の面２９ａ、２９ｂと、フラット部２６の上面２６ａの台座２９の第１の面２９ａの後方に位置する部分が、両面テープ（本実施形態における接着部材）４０によりＦＰＣ３１の実装面３１ａと接着される接着面となる（図３（ａ）参照）。
ＦＰＣ３１は、このように、その実装面３１ａの一部が、両面テープ４０によって導光板２１の上記接着面に接着されることによって、導光板２１に固定される。
【００５０】
このようなＦＰＣ３１の導光板２１への固定に使用される両面テープ４０は、図２（ａ）に示すように、ＬＥＤ１１の後方に位置してＦＰＣ３１の長手方向に延びる幹線部４０ｂ、幹線部４０ｂからＬＥＤ１１の左右側方を通って前方に延びる複数の枝部４０ａ、及び、枝部４０ａの各々の前方端を隣接する枝部４０ａの前方端と連結する連結部４０ｃを有しており、導光板２１の上記接着面に対応する部分は、各枝部４０ａの前端部分に含まれている。
【００５１】
さらに、面状照明装置１０では、図２（ｂ）に示すように、両面テープ４０の各連結部４０ｃに遮光部材４５が接着固定されており、これらの遮光部材４５は、ＦＰＣ３１が導光板２１に配置固定されたときに、傾斜面２７ａ上の、隣接する台座２９の間（言い換えれば、各ＬＥＤ１１の前方の位置）に配置される。
【００５２】
面状照明装置１０では、遮光部材４５は、傾斜面２７ａの形状に応じて、前方ほど幅が広い台形形状を有している。さらに、面状照明装置１０において、台座２９の第２の面２９ｂと傾斜部２７の傾斜面２７ａとは実質的に平行であるため、ＦＰＣ３１を導光板２１に配置固定した状態において、ＦＰＣ３１の隣接する第２の面２９ｂ間に存在する部分と、その直下の傾斜面２７ａとの間の隙間は、互いに対向する全領域にわたって実質的に一定の間隔を有している。そして、遮光部材４５は、図３（ｂ）に示すように、その間隔に相当する厚みを有してこの隙間を埋めるものである。
【００５３】
ここで、遮光部材４５は、光吸収部材であってもよく、または、光反射部材であってもよい。面状照明装置１０における遮光部材４５のように、一定の厚みを有する遮光部材としては、例えば、黒色ＰＥＴフィルム（光吸収部材）または白色ＰＥＴフィルム（光反射部材）を好適に使用することができる。
【００５４】
以上のように構成された本実施形態における面状照明装置１０によれば、隣接する台座２９の間（すなわち、ＬＥＤ１１の前方）に遮光部材４５が配置されていることによって、導光板２１の傾斜部２７の傾斜面２７ａから漏れ光が発生したとしても、その漏れ光の出射部２８側への進行をこの遮光部材４５によって阻止し、面状照明装置１０の照明光の輝度の均一性を向上させることが可能となる。
【００５５】
また、面状照明装置１０では、接着部材である両面テープ４０が、枝部４０ａの各々の前方端を隣接する枝部４０ａの前方端と連結する連結部４０ｃを有していることにより、ＦＰＣ３１を導光板２１に固定する作業において、両面テープ４０の剥離ライナーを剥がす際に、それに連れ立って各枝部４０ａの一部または全部が剥がれることが抑制され、ＦＰＣ３１を導光板２１に固定する作業の作業性を向上させることが可能となる。
【００５６】
その際、遮光部材４５は、両面テープ４０の連結部４０ｃに固定されていることにより、両面テープ４０の連結部４０ｃ自体が傾斜面２７ａに接触することが、遮光部材４５によって抑制または阻止されるため、傾斜面２７ａのＬＥＤ１１の前方部分に、連結部４０ｃとの接触の有無に応じた屈折率等の差異が生じること、及び、その結果として、傾斜部２７を導光する光の分布、ひいては出射部２８から出射する照明光の輝度分布（見栄え）が変化することを抑制または解消することが可能となる。
【００５７】
ここで、面状照明装置１０において、台座２９を、上面視して、前方先端側において前方に向かうほど幅が狭くなるように形成し、隣接する台座２９との間隔（したがって、傾斜面２７ａ）を前方に向かうほど広くしたことは、ＬＥＤ１１の出射面１２から出射された光が導光板２１内を前方に向かって末広がり状に進行するため、傾斜部２７内を導光する光の進行を妨げることなく、台座２９の第１の面２９ａ及び第２の面２９ｂの面積を極力大きくして、ＦＰＣ３１と導光板２１との接着強度を向上させることが可能な点で、有利なものである。
【００５８】
そして、面状照明装置１０では、傾斜面２７ａのこのような形状に対応して、遮光部材４５を、前方ほど幅が広い台形形状としたため、隣接する台座２９間の隙間を効果的に埋めることにより、遮光部材４５の遮光性を高めることが可能となる。また、このような形状は、両面テープ４０の連結部４０ｃが傾斜面２７ａに接触する可能性を低減する上でも、有利なものである。
【００５９】
さらに、面状照明装置１０では、台座２９の上面に、傾斜部２７の傾斜面２７ａと実質的に平行な傾斜面である第２の面２９ｂが含まれているため、例えば黒色ＰＥＴフィルムまたは白色ＰＥＴフィルム等の一定の厚みを有する部材を遮光部材４５として有効に活用して、傾斜面２７ａからの漏れ光を効果的に遮光することが可能となる。
【００６０】
但し、本発明は、台座２９の上面に傾斜面が含まれているか否か、あるいは、傾斜面が含まれている場合に、その傾斜面が傾斜部２７の傾斜面２７ａと平行か否か等の台座２９の上面の構成によって限定されるものではなく、ＦＰＣ３１と傾斜面２７ａとの間の隙間を埋めるために適切な形状を有する遮光部材４５を使用する限り、台座２９の上面の構成は、任意の適切なものとすることができる。
【００６１】
例えば、図４に示すように、本発明に係る面状照明装置の導光板５１は、その台座５９が、フラット部２６の上面２６ａと略面一に形成された第１の面５９ａと、傾斜部５７の傾斜面５７ａよりも緩やかに傾斜する第２の面５９ｂを有するものであってもよい。この構成では、ＦＰＣ３１と傾斜面５７ａとの間の隙間は前方ほど間隔が広がるため、この広がりに応じた厚みを有する遮光部材を用いるものであってもよい。あるいは、図４に示すように、この構成に対して、一定の厚みを有する遮光部材４５を適用することも可能である。この場合でも、傾斜面５７ａの大部分からの漏れ光を遮光部材４５によって遮光することにより、照明光の輝度の均一性を向上させることができる。
【００６２】
また、このように台座５９の第２の面５９ｂを、傾斜部５７の傾斜面５７ａよりも緩やかに傾斜する傾斜面とした構成は、ＦＰＣ３１を導光板２１に配置固定する際に、第１の面５９ａと第２の面５９ｂとの境界の対応する折り曲げ位置でＦＰＣ３１を折り曲げる際の反力を低減させ、ＦＰＣ３１の導光板２１へ固定の長期安定性を向上させるために有利な構成である。
【００６３】
さらに、以上の説明では、面状照明装置１０で使用する両面テープ４０は、ＬＥＤ１１の後方に位置してＦＰＣ３１の長手方向に延びる幹線部４０ｂを有するものとした。この構成は、両面テープ４０の剥離ライナーを剥がす際に、それに連れ立って各枝部４０ａの一部または全部が剥がれることを抑制し、各枝部４０ａを安定に保持する上で望ましいものであるが、面状照明装置１０の仕様によっては、ＦＰＣ３１のＬＥＤ１１の後方に幹線部４０ｂを設けるスペースを確保できない場合がある。
【００６４】
しかしながら、面状照明装置１０では、このような場合でも、両面テープ４０に、枝部４０ａの各々の前方端を隣接する枝部４０ａの前方端と連結する連結部４０ｃを設けることによって、各枝部４０ａを飛島形状とすることなく、両面テープ４０の剥離ライナーを剥がす際に各枝部４０ａを安定に保持して、ＦＰＣ３１を導光板２１に固定する作業の作業性を向上させることができる。
【００６５】
図５には、幹線部を有しない両面テープ６０の一例が、剥離ライナーが付着された状態で示されている。図５において、両面テープ６０の枝部６０ａ及び連結部６０ｃ（ハッチング部）は、両面テープ６０本体とそれを覆う剥離ライナーから構成されている。また、最も外側（図５では、右側）の枝部６０ａから外側方向に延長された部分６１は、剥離ライナーのみで構成されており、剥離ライナーを剥がす際のタブとして使用される。
両面テープ６０は、連結部６０ｃを有しているため、各枝部６０ａの後方に幹線部を有しない場合でも、各枝部６０ａは、飛島形状とはならない。また、図９に示す従来の両面テープ１５０とは異なり、剥離ライナーに、仮の幹線部１５２を要しない。
【００６６】
尚、本発明に係る面状照明装置において、フラット部２６の存在は、光学的な機能の観点からは本質的なものではなく、フラット部２６を設けなくてもよいものである。また、本発明に係る面状照明装置は、図６に示す従来の面状照明装置のツメ部１３０と同様のツメ部を有するものであってもよく、この場合、ＦＰＣ３１を導光板２１に固定配置する際に、ツメ部の上面も両面テープ４０によりＦＰＣ３１の実装面３１ａと接着される接着面としてい使用されるものであってもよい。
【符号の説明】
【００６７】
１０：面状照明装置、１１：点状光源（ＬＥＤ）、１２：発光面、２１，５１：導光板、２２：入光面、２５：出射面、２７，５７：傾斜部、２７ａ，５７ａ：傾斜面、２８：出射部、２９：台座、２９ａ：第１の面、２９ｂ：第２の面、３１：プリント回路基板（ＦＰＣ）、４０：接着部材（両面テープ）、４０ａ：枝部、４０ｂ：幹線部、４０ｃ：連結部、４５：遮光部材
【図１】
2014032860.tif 000003
【図２】
2014032860.tif 000004
【図３】
2014032860.tif 000005
【図４】
2014032860.tif 000006
【図５】
2014032860.tif 000007
【図６】
2014032860.tif 000008
【図７】
2014032860.tif 000009
【図８】
2014032860.tif 000010
【図９】
2014032860.tif 000011